(57)【要約】【課題】監視映像の複写に関しては可搬な記憶媒体だけを保守員が持参すれば良いという監視映像録画複写システムを提供する。【解決手段】監視映像録画複写システムは、監視領域を撮影した監視映像を一旦録画する監視映像レコーダおよび上記監視映像レコーダに録画されている監視映像の少なくとも一部が複写される可搬型の外部記憶媒体を有する監視映像録画複写システムにおいて、上記外部記憶媒体は、上記監視映像レコーダに複写を実行させるコマンドが記憶され、上記監視映像レコーダは、上記外部記憶媒体が挿着されたとき上記コマンドを取り出すとともに上記取り出したコマンドに従って録画されている上記監視映像を上記外部記憶媒体に複写する。【選択図】図３
2009253832.tif 000002
【特許請求の範囲】
【請求項１】
監視領域を撮影した監視映像を一旦録画する監視映像レコーダおよび上記監視映像レコーダに録画されている監視映像の少なくとも一部が複写される可搬型の外部記憶媒体を有する監視映像録画複写システムにおいて、
上記外部記憶媒体は、上記監視映像レコーダに複写を実行させるコマンドが記憶され、
上記監視映像レコーダは、上記外部記憶媒体が挿着されたとき上記コマンドを取り出すとともに上記取り出したコマンドに従って録画されている上記監視映像を上記外部記憶媒体に複写することを特徴とする監視映像録画複写システム。
【請求項２】
上記外部記憶媒体は、上記コマンドを含み且つ暗号化されたファイルが記憶され、
上記監視映像レコーダは、上記ファイルを復号化した後上記コマンドを取り出すことを特徴とする請求項１に記載の監視映像録画複写システム。
【請求項３】
上記監視映像レコーダは、録画されている上記監視映像を上記外部記憶媒体に複写する間点滅するＬＥＤランプを有することを特徴とする請求項１または２に記載の監視映像録画複写システム。
【発明の詳細な説明】
【技術分野】
【０００１】
この発明は、監視している場所が撮影され且つ録画されている監視映像を可搬な記憶媒体に複写する監視映像録画複写システムに関するものである。
【背景技術】
【０００２】
従来の監視映像録画複写システムでは、保守員が録画されている監視映像を持ち帰るために、ＶＴＲやＰＣを監視映像レコーダに接続し、テープ、ＤＶＤメディア、またはＰＣ内のＨＤＤへ複写している（例えば、特許文献１参照）。
【０００３】
【特許文献１】特開平９−３２６９８６号公報
【発明の開示】
【発明が解決しようとする課題】
【０００４】
しかし、ＶＴＲやＰＣを監視映像レコーダが置かれている乗りカゴ上で監視映像レコーダを接続する作業は、エレベータを停止させる保守点検の際に実施するため、短時間で終わらせる必要があるが、現状では時間が掛かり、複写作業が容易でないという問題がある。
また、コピー用にＶＴＲやＰＣなどの機材を保守員は持ち歩く必要があり、保守員が持参する機材が多くなるという問題がある。
【０００５】
この発明の目的は、監視映像の複写に関しては可搬な記憶媒体だけを保守員が持参すれば良いという監視映像録画複写システムを提供することである。
【課題を解決するための手段】
【０００６】
この発明に係る監視映像録画複写システムは、監視領域を撮影した監視映像を一旦録画する監視映像レコーダおよび上記監視映像レコーダに録画されている監視映像の少なくとも一部が複写される可搬型の外部記憶媒体を有する監視映像録画複写システムにおいて、上記外部記憶媒体は、上記監視映像レコーダに複写を実行させるコマンドが記憶され、上記監視映像レコーダは、上記外部記憶媒体が挿着されたとき上記コマンドを取り出すとともに上記取り出したコマンドに従って録画されている上記監視映像を上記外部記憶媒体に複写する。
【発明の効果】
【０００７】
この発明に係る監視映像録画複写システムの効果は、コマンドを含むファイルが記憶されている外部記憶媒体を挿着すると、外部記憶媒体に記憶されているファイルを読み出し、ファイルに含まれるコマンドに従って内部記憶媒体に記憶されている監視映像を外部記憶媒体に複写するので、外部記憶媒体を監視映像レコーダに挿着するだけで、内部記憶媒体に録画されている監視映像を外部記憶媒体に複写することができ、現地での作業を簡略化することができる
【発明を実施するための最良の形態】
【０００８】
図１は、この発明に係る監視映像録画複写システムの構成を示す概略図である。
この発明を実施するための最良の形態に係る監視映像録画複写システムは、図１に示すように、例えばエレベータの乗りカゴ１内を監視領域とし、監視領域内を撮影したカメラ２のカメラ映像からなる監視映像を内部記憶媒体としてのＨＤＤ３に録画する監視映像レコーダ４、監視映像の確認が必要となったとき監視映像レコーダ４に録画されている監視画像のうち確認を要する部分の監視画像を複写される可搬型の外部記憶媒体としてのＵＳＢメモリ５、および、保守員が持ち帰ったＵＳＢメモリ５の監視画像を再生する監視センタ７に備えるモニタ８を有する。
【０００９】
保守員が監視映像レコーダ４から監視映像を複写するＵＳＢメモリ５は、図２に示すように、記憶領域内にコマンドを含むとともに暗号化されたファイル９が格納されている。
コマンドとして、監視映像をＨＤＤ３からＵＳＢメモリ５に複写するよう命じるコピー命令および監視映像のうちで複写の対象となる監視映像を特定する時刻（対象の監視映像の撮影が開始された開始時刻と撮影が終止した終止時刻）を含む。例えば、Ｃｏｐｙ＿ｆｒｏｍ＿＿＿＿ｔｏ＿＿＿＿である。
そして、保守員は、監視センタ７においてＵＳＢメモリ５にコマンドを含むファイル９を記憶する。
【００１０】
図３は、この発明に係る監視映像レコーダの機能を示すブロック図である。
監視映像レコーダ４は、図３に示すように、乗りカゴ１内を撮影したカメラ２からカメラ映像が入力されるカメラ映像入力部１１、カメラ映像入力部１１に入力されたカメラ映像のＨＤＤ３への書き込みを制御するＨＤＤ書込部１２、ＨＤＤ３に録画されているカメラ映像のＨＤＤ３からの読み出しを制御するＨＤＤ読出部１３、ＨＤＤ書込部１２から送信されてきたカメラ映像をＨＤＤ３の所定の領域に記憶するとともにＨＤＤ３の所定の領域に記憶されたカメラ映像を読み出してＨＤＤ読出部１３へ送信する内部メモリアクセス部１４を有する。
【００１１】
また、監視映像レコーダ４は、ＵＳＢメモリ５が挿着される外部メモリスロット１５、外部メモリスロット１５に挿着されたＵＳＢメモリ５を制御してＵＳＢメモリ５の記憶領域からデータを読み出すまたＵＳＢメモリ５の記憶領域にデータを書き込む外部メモリアクセス部１６、ＵＳＢメモリ５が外部メモリスロット１５に挿着されたことを判定する外部メモリ接続判定部１７、ＵＳＢメモリ５に格納されているファイル９を読み出すように外部メモリアクセス部１６を制御する外部メモリ読出部１８、ファイル９を復号化するファイル復号化部１９、および、ファイル９からコマンドを取り出しレコーダ制御部２０に送るコマンド読出・要求部２１を有する。
【００１２】
また、監視映像レコーダ４は、ＨＤＤ読出部１３が読み出したカメラ映像を外部メモリアクセス部１６へ転送する外部メモリ書込部２２、コマンドに含まれる命令に従ってＨＤＤ３に記憶されているカメラ映像を読み出し且つ読み出したカメラ映像をＵＳＢメモリ５に記憶するようにＨＤＤ読出部１３および外部メモリ書込部２２に指令するレコーダ制御部２０、ＵＳＢメモリ５にコピーしているときＬＥＤランプ２３を点滅してコピーの途中であることを知らせるＬＥＤ制御部２４、および、ＬＥＤ制御部２４によりコピーが実行中点滅されるＬＥＤランプ２３を有する。
モニタ８は、ＵＳＢメモリ５に記憶されているカメラ映像を再生して表示する。
【００１３】
次に、ＵＳＢメモリ５に監視映像レコーダ４から所望の監視映像を複写するときの手順を説明する。なお、ＵＳＢメモリ５にはコピー命令およびＵＳＢメモリ５に複写したいカメラ映像を特定する情報がコマンドとして記憶されている。図４は、ＵＳＢメモリ５に監視映像レコーダ４から所望の監視映像を複写するときの手順を示すフローチャートである。
ステップＳ１０１で、保守員が外部メモリスロット１５にＵＳＢメモリ５を挿着すると、外部メモリ接続判定部１７は、ＵＳＢメモリ５の挿着を確認し、挿入有信号をレコーダ制御部２０に送信する。
ステップＳ１０２で、レコーダ制御部２０は、挿入有信号を受信すると外部メモリ読出部１８に対してＵＳＢメモリ５からファイル９を読み出すようにファイル読出指令を発する。外部メモリ読出部１８は、ファイル読出指令に従ってＵＳＢメモリ５からファイル９を読み出しファイル復号化部１９に送る。
ステップＳ１０３で、ファイル復号化部１９は、ファイル９を復号化してコマンド読出・要求部２１に送る。
ステップＳ１０４で、コマンド読出・要求部２１は、ファイル９に含まれるコマンドを抽出し、コマンドの実行をレコーダ制御部２０に要求する。
【００１４】
ステップＳ１０５で、レコーダ制御部２０は、コマンドの実行の要求を受けるとＨＤＤ読出部１３に開始時刻および終止時刻を送り、該当する監視映像を複写するように制御する。同時に、ＬＥＤ制御部２４に対してＬＥＤランプ２３を点滅するよう指令する。
ステップＳ１０６で、ＨＤＤ読出部１３は、開始時刻および終止時刻の間の監視映像が記憶されているＨＤＤ３の記憶領域を特定して内部メモリアクセス部１４を制御する。そして、内部メモリアクセス部１４は、特定されたＨＤＤ３の記憶領域から監視映像のデータを読み出しＨＤＤ読出部１３に転送する。
ステップＳ１０７で、レコーダ制御部２０は、ＨＤＤ読出部１３に対して読み出された監視映像のデータを外部メモリ書込部２２に転送するように指令する。そして、ＨＤＤ読出部１３は、読み出した監視映像のデータを外部メモリ書込部２２に転送する。次に、レコーダ制御部２０は、外部メモリ書込部２２に対して監視映像のデータをＵＳＢメモリ５に書き込むように指令する。そして、外部メモリ書込部２２は、ファイル書込指令に従って監視映像のデータをＵＳＢメモリ５に書き込むように外部メモリアクセス部１６に指令する。外部メモリアクセス部１６は、監視映像のデータをＵＳＢメモリ５の所定の記憶領域に記憶する。
ステップＳ１０８で、外部メモリ書込部２２は、書き込みが完了したら書込完了信号をレコーダ制御部２０に送信する。レコーダ制御部２０は、書込完了信号を受信すると複写が完了したと判断する。そして、ＬＥＤ制御部２４にＬＥＤランプ２３を消灯するよう指令する。
【００１５】
この発明に係る監視映像録画複写システムでは、コマンドを含むファイル９が記憶されているＵＳＢメモリ５を挿着すると、ＵＳＢメモリ５に記憶されているファイル９を読み出し、ファイル９に含まれるコマンドに従ってＨＤＤ３に記憶されている監視映像をＵＳＢメモリ５に複写するので、ＵＳＢメモリ５を監視映像レコーダ４に挿着するだけで、ＨＤＤ３に記憶されている監視映像をＵＳＢメモリ５に複写することができ、現地での作業を簡略化することができる。
【００１６】
また、監視映像が複写されるＵＳＢメモリ５には、監視映像レコーダ４に対する命令が格納されており、一方、監視映像レコーダ４はＵＳＢメモリ５から命令を取り出して複写を実行するので、保守員は複写に関してＵＳＢメモリ５のみを持ち運べば良く、現場へ持参する機材が軽減される。
【００１７】
また、コマンドを含むファイル９が暗号化されてＵＳＢメモリ５に記憶されており、監視映像レコーダ４で正しく復号化できないと監視映像をＵＳＢメモリ５に複写できないので、第三者がコマンドを作成してＵＳＢメモリ５に記憶したとしても正しく暗号化できず、第三者が監視映像を監視映像レコーダ４から複写することができない。
【００１８】
また、ＨＤＤ３からＵＳＢメモリ５に監視映像を複写しているときにはＬＥＤランプ２３が点滅されているので、モニタなど特別な機材を監視映像レコーダ４に設けなくても、コマンドが実行されていることを確認することができるとともにＵＳＢメモリ５を安全に取り外すことができる。
【００１９】
なお、可搬型の外部記憶媒体としてＵＳＢメモリ５を例に説明したが、他の半導体メモリ、磁気記録媒体、光磁気記録媒体などを使用することができる。
また、上述の実施の形態においては乗りカゴ１上に載置された監視映像レコーダ４の筐体に設けられた外部メモリスロット１５に直接ＵＳＢメモリ５を挿着するという例で本発明を説明したが、延長ケーブルを用いて監視映像レコーダ４から離れたところでＵＳＢメモリ５を接続しても良い。
【００２０】
また、監視映像レコーダ４からケーブルで乗りカゴ１内の操作盤に設けたスロットに接続し、そのスロットにＵＳＢメモリ５を挿着しても良い。
また、監視映像レコーダ４に鍵を設けて、鍵が解除されているときだけＵＳＢメモリ５を挿着することができるようにしても良い。
【図面の簡単な説明】
【００２１】
【図１】この発明に係る監視映像録画複写システムの構成を示す概略図である。
【図２】ＵＳＢメモリの記憶領域内の構成を示す図である。
【図３】この発明に係る監視映像レコーダの機能を示すブロック図である。
【図４】ＵＳＢメモリに監視映像レコーダから所望の監視映像を複写するときの手順を示すフローチャートである。
【符号の説明】
【００２２】
１  乗りカゴ、２  カメラ、３  ＨＤＤ、４  監視映像レコーダ、５  ＵＳＢメモリ、７  監視センタ、８  モニタ、９  ファイル、１１  カメラ映像入力部、１２  ＨＤＤ書込部、１３  ＨＤＤ読出部、１４  内部メモリアクセス部、１５  外部メモリスロット、１６  外部メモリアクセス部、１７  外部メモリ接続判定部、１８  外部メモリ読出部、１９  ファイル復号化部、２０  レコーダ制御部、２１  コマンド読出・要求部、２２  外部メモリ書込部、２３  ＬＥＤランプ、２４  ＬＥＤ制御部。
【図１】
2009253832.tif 000003
【図２】
2009253832.tif 000004
【図３】
2009253832.tif 000005
【図４】
2009253832.tif 000006